(57)【特許請求の範囲】
【請求項１】
動物用の餌を外部に繰り出す外部繰出孔を備えた透明又は半透明の上殻体と、姿勢保持用の錘を備えた下殻体とが着脱自在に結合されて転動可能な外面形状を有する本体が構成され、
前記上殻体と前記下殻体との間に、前記本体の内部を前記下殻体側の第１収納室と前記上殻体側の第２収納室とに仕切る仕切板を有し、この仕切板には、前記第１収納室に収納した動物用の餌を前記第２収納室側へ繰り出す内部繰出孔が設けられていることを特徴とする動物用知育玩具。
【請求項２】
前記上殻体と前記下殻体とが、ともに半球形状であることを特徴とする請求項１に記載の動物用知育玩具。
【請求項３】
前記仕切板には、この仕切板に対してスライドすることで内部繰出孔の開口量を調整する調整板が設けられていることを特徴とする請求項１又は２に記載の動物用知育玩具。
【請求項４】
前記上殻体の前記外部繰出孔が長孔状とされていることを特徴とする請求項１〜３のいずれかに記載の動物用知育玩具。
【請求項５】
前記仕切板の前記内部繰出孔が長孔状とされていることを特徴とする請求項１〜４のいずれかに記載の動物用知育玩具。
【請求項６】
前記外部繰出孔の長手方向と前記内部繰出孔の長手方向とが直交することを特徴とする請求項５に記載の動物用知育玩具。
【請求項７】
前記上殻体の内面と前記下殻体の内面には、前記仕切板を挟持する担持部がそれぞれ設けられていることを特徴とする請求項１〜６のいずれかに記載の動物用知育玩具。
【発明の詳細な説明】
【技術分野】
【０００１】
本発明は、動物用の餌を収納し、動物が遊びながら動物用の餌を食する動物用知育玩具に関する。
【背景技術】
【０００２】
従来、遊ばせながら動物に丸薬型などの固形状の餌を与えるものとして、動物用の餌を出し入れできる孔を備えただるま状又は円柱状の容器である動物用玩具や、動物用の餌を嵌め込める隙間をその表面に有した棒状の動物用玩具が用いられていた。
これらの動物用玩具は、孔から容器の内部へ動物用の餌を入れ、もしくは表面の隙間に動物用の餌を挟んだ後に玩具を動物に与え、動物が玩具を咥えたり手足で転がしたりすることで、孔や隙間から動物用の餌を取り出させるものである。
【０００３】
しかし、このような構成では、あまり苦労もなく動物が餌を食することができるため、動物に考えさせることができず、知育効果を得られないという欠点があった。
そこで、このような欠点を解消するために、動物用の餌を収納する円柱形状の容器本体と、その上底面に設けられた凹型湾曲面、及び動物用の餌が出し入れできる孔と、容器本体の側面に数枚の羽根状の突起物とを備えた動物用知育玩具によって、知育効果を得る技術が開示されている（特許文献１）。
【０００４】
この動物用知育玩具は、上底面に凹型湾曲面があるため、容器本体中の動物用の餌が上底面の孔から安易に転がり出ない構造になっており、どうすれば孔から動物用の餌が取り出せるかを動物に考えさせることによって、知育効果を得ようとするものである。
【特許文献１】登録実用新案第３１０３３５７号公報
【発明の開示】
【発明が解決しようとする課題】
【０００５】
しかしながら、特許文献１に記載された技術では、容器本体の孔から動物用の餌を取り出してしまえば、それ以上動物に考えさせることはできず、知育効果を十分に得られるとはいえない。また、容器本体の内部にある動物用の餌を外部から視認することができず、すぐに動物が飽きてしまい、動物の興味を惹起させ続けることができない。さらに、上底面に凹型湾曲面を備えていることから、容器本体中に動物用の餌の屑が溜まりやすく、しかも内部を直接洗うことができず非常に不衛生である。
【０００６】
かかる問題に鑑み、本発明は、動物の興味を強く惹起し続け十分な知育効果を得ると同時に、内部を清潔に保つことができる動物用知育玩具を提供することを目的とする。
【課題を解決するための手段】
【０００７】
前記目的を達成するため、本発明は、以下の技術的手段を採用した。
第１に、動物用の餌を外部に繰り出す外部繰出孔を備えた透明又は半透明の上殻体と、姿勢保持用の錘を備えた下殻体とが着脱自在に結合されて転動可能な外面形状を有する本体が構成され、前記上殻体と前記下殻体との間に、前記本体の内部を前記下殻体側の第１収納室と前記上殻体側の第２収納室とに仕切る仕切板を有し、この仕切板には、前記第１収納室に収納した動物用の餌を前記第２収納室側へ繰り出す内部繰出孔が設けられていることを特徴とする。
【０００８】
これにより、第１収納室に収納した動物用の餌が第２収納室側へ繰り出してきたことを本体の外部から視認でき、かつ姿勢保持用の錘によって透明又は半透明な上殻体を通常は上とする姿勢を保ちつつ不規則な回転をするので、動物の興味を惹起し続けられる。また、上殻体と下殻体とは簡単に取り外すことができ、内部を直接洗うことで常に清潔に保つことができる。
【０００９】
第２に、前記上殻体と前記下殻体とが、ともに半球体であることを特徴とする。
これにより、本体が球形となり、より滑らかに転動させることができる。
第３に、前記仕切板には、この仕切板に対してスライドすることで内部繰出孔の開口量を調整する調整板が設けられていることを特徴とする。
これにより、仕切板に設けられた内部繰出孔の開口量を調整できるため、例えば、最初は開口量を多くし動物が慣れるに従い開口量を少なくすることが可能であり、難易度を変化させることで動物を飽きさせない。また、完全に内部繰出孔を閉じるよう調整をすることで、第１収納室に動物用の餌を収納したままこぼすことなく、この動物用知育玩具を持ち運ぶこともできる。さらに、動物に与える餌の量を飼い主の好みに合わせることができる。
【００１０】
第４に、前記上殻体の前記外部繰出孔が長孔状とされていることを特徴とする。
これにより、外部繰出孔の長手方向に本体が転動する際に動物用の餌が繰り出しやすくなるため、孔が大きすぎることによって外部繰出孔を下として転動が止まることもなく、孔が小さすぎるために動物用の餌がほとんど繰り出さない等の問題を生じない。
第５に、前記仕切板の前記内部繰出孔が長孔状とされていることを特徴とする。
【００１１】
これにより、内部繰出孔の長手方向に本体が転動する際に動物用の餌が繰り出しやすくなるため、孔が大きすぎるために第２収納室内の動物用の餌が第１収納室に戻ることもなく、孔が小さすぎるために動物用の餌がほとんど繰り出さない等の問題を生じない。
第６に、前記外部繰出孔の長手方向と前記内部繰出孔の長手方向とが直交することを特徴とする。
【００１２】
これにより、内部繰出孔から動物用の餌が繰り出しやすい方向と外部繰出孔から動物用の餌が繰り出しやすい方向とが交差しているため、転動により内部繰出孔から繰り出された動物用の餌は、いったん第２収納室にとどまる。そして、第１収納室から内部繰出孔及び外部繰出孔を通って一気に外部に繰り出すことがなくなる。
第７に、前記上殻体の内面と前記下殻体の内面には、前記仕切板を挟持する担持部がそれぞれ設けられていることを特徴とする。
【００１３】
これにより、本体がどれだけ転動しても仕切板がずれることなく、つねに第１収納室と第２収納室とを区分けできる。また、上殻体と下殻体とを取り外すだけで仕切板も外れるため、上殻体及び下殻体と仕切板との分断が容易となる。
【発明の効果】
【００１４】
本発明によると、本動物の興味を強く惹起し続け十分な知育効果を得ると同時に、内部を清潔に保つことができる。
【発明を実施するための最良の形態】
【００１５】
以下、本発明の実施形態を、図面に基づいて説明する。
図１〜１５に示すように、動物用知育玩具１は、動物用であって丸薬状などの固形状の餌ｆを収納でき転動可能な外面形状を有する本体２と、本体２の内部を仕切る仕切板３とから主に構成される。
図１、２に示すように、本体２は、動物用の餌ｆを本体２の外部に繰り出す外部繰出孔４を備えた透明で半球形状の上殻体５と、姿勢保持用の錘６を備えた半球形状の下殻体７とからなる。上殻体５と下殻体７とは、互いに着脱自在に螺合し、螺合することによって、転動可能な外面形状を有する球形の本体２を構成する。
【００１６】
図３〜５に示すように、上殻体５は、例えば、ＡＢＳ樹脂、ポリプロピレン樹脂、ポリカーボネート樹脂、又はスチロール樹脂等の合成樹脂製であり、透明又は半透明であるため、本体２の外部からその内部が視認できる。上殻体５の最上部中央に外部繰出孔４が設けられ、上殻体５の最上部から中腹にかけて半球部８が形成され、半球部８の下端縁から下向きに延出する円筒部９が形成され、円筒部９の下端縁から下向きに延出する雄ネジ１０が形成されている。また、円筒部９の下端縁には水平方向に伸びる環状のフランジ１２が設けられている。さらに、円筒部９の外面でかつフランジ１２の上面には、側面視において略三角形状の上下方向に伸びる外リブ１１が円筒部９の周方向に等間隔で複数設けられている（本実施形態においては１６本）。なお、各外リブ１１の外側面は本体２の球形状の外面に連続するように形成されている。そして、雄ネジ１０のネジ山先端１０ａの延長線上には、後述するネジロック凸部１９と嵌合することで上殻体５と下殻体７との螺合状態を保持するネジロック凹部１３が設けられている。
【００１７】
上殻体５は、円筒部９、外リブ１１及びフランジ１２を備えているため、上殻体５の開口縁に形成された雄ネジ１０が螺合に耐えるだけの強度を有しつつ、球形状の本体２全体として滑らかな転動を妨げない。また、上殻体５と下殻体７とを螺合させる際に、外リブ１１を把持しながら捻り動作を行うことで、螺合する力を上殻体５と下殻体７とに効率よく伝えられる。
【００１８】
一方、半球部８の下端内面から雄ネジ１０内面の中腹にかけて上下方向に伸びる平板状の雄ネジ側担持部１４が上殻体５の周方向に等間隔で複数設けられ（本実施形態においては４本）、後述する下殻体７内面の雌ネジ側担持部１６との間に仕切板３を挟持する。
図３，４に示すように、外部繰出孔４は、平面視において小判形状であり、具体的には、２本の直線部４ａと２つの半円弧部４ｂによって囲まれた長孔状である。したがって、外部繰出孔４の長手方向に本体２が転動する際に動物用の餌ｆが繰り出しやすくなるため、外部繰出孔４が大きすぎるために外部繰出孔４を下として転動が止まることもなく、外部繰出孔４が小さすぎるために動物用の餌ｆがほとんど繰り出さない等の問題を生じない。また、外部繰出孔４の周囲は上殻体５の内側方向に隆起し他の部分よりも肉厚である。さらに、その内周縁の断面は角のとれたアール形状であるため、動物用の餌ｆが繰り出しやすくなっている。
【００１９】
図６〜８に示すように、下殻体７は、例えば、ＡＢＳ樹脂、ポリプロピレン樹脂、ポリカーボネート樹脂、又はスチロール樹脂等の合成樹脂製であり、下殻体７の開口縁内面には前述した雄ネジ１０に対応して雌ネジ１５が設けられ、雌ネジ１５の下端からの下殻体７内面の中腹にかけて上下方向に伸びる平板状の雌ネジ側担持部１６が下殻体７の周方向に等間隔で複数設けられている（本実施形態においては４本）。また、下殻体７外面の中腹には円形の外凹部１７が下殻体７の周方向に等間隔で複数設けられている（本実施形態においては１６個）。さらに、下殻体７の最下部中央周辺には下殻体７の内部と外部を連通する連通孔１８が姿勢保持用の錘６を囲む円に沿って周方向に等間隔で複数設けられ（本実施形態においては２つ）、下殻体７の最下部中央に姿勢保持用の錘６が設けられている。そして、雌ネジ１５のネジ溝１５ａ内であってネジロック凹部１３に対応する位置には、前述したネジロック凹部１３に嵌合することで上殻体５と下殻体７との螺合状態を保持するネジロック凸部１９が設けられている。
【００２０】
雌ネジ１５は、前述した雄ネジ１０と螺合することによって、上殻体５と下殻体７とを着脱自在に結合する。また、雌ネジ側担持部１６は、前述した上殻体５内面の雄ネジ側担持部１４との間に仕切板３を挟持することによって、本体２がどれだけ転動しても仕切板３がずれることはない。さらに、外凹部１７は、滑らかですべり易い半球状の下殻体７と、上殻体５とを螺合させる際に、円形の外凹部１７を把持しながら捻り動作を行うことで、螺合する力を上殻体５と下殻体７とに効率よく伝える役割を果たす。また、連通孔１８は、仮に動物が玩具を飲み込むようなことがあっても、呼吸を確保する空気孔としての役割を果たす。さらに、連通孔１８は下殻体７成形時において金型からの離型性を向上させる。そして、連通孔１８の下殻体７内部側開口部の直径は、下殻体７外部側開口部の直径よりも大きくなるように形成され、連通孔１８の内面はテーパー状になっており、離型性をより向上させている。
【００２１】
図６、７に示すように、姿勢保持用の錘６は、下殻体７の最下部中央の部分を他の部分よりも肉厚にすることで形成されている。この姿勢保持用の錘６によって、本体２は、起き上がり小法師のように、透明な上殻体５を通常は上とする姿勢を保ちつつ不規則な回転をするので、動物の興味を惹起し続けられる。
図１１〜１３に示すように、仕切板３は、ポリプロピレン樹脂等の合成樹脂製であり、円板形状であり、上殻体５と下殻体７との間に位置し、本体２の内部空間を下殻体７側の第１収納室２０と上殻体５側の第２収納室２１とに仕切っている。また、仕切板３には、第１収納室２０に収納した動物用の餌ｆを第２収納室２１側へ繰り出す内部繰出孔２２が設けられ、さらに、仕切板３に対してスライド回転することで内部繰出孔２２の開口量を段階的（本実施形態においては５段階）に調整する環状の調整板２３が回動自在かつ着脱自在に同心状に設けられている。そして、仕切板３には、環状の調整板２３を仕切板３と同心状に嵌め込めるような環状凹面２４が形成されている。
【００２２】
環状凹面２４の内周縁には、内部繰出孔２２の開口量を段階的に保持するための段階突部２５が、各段階ごとに周方向に一定間隔で設けられている。なお、本実施形態においては、調整板２３をスライドさせることによって、内部繰出孔２２を完全に閉じる段階も設けている。また、環状凹面２４の内周縁には、調整板２３と仕切板３との着脱が許容される位置を保持する許容位置突部２６が仕切板３の中心を基準として１８０度正対する２つを１組として設けられている。さらに、環状凹面２４の外周縁には、調整板２３と仕切板３との着脱を許容する係止突部２７が、仕切板３の中心を基準として１８０度正対する２つを１組として設けられている。なお、段階突部２５と許容位置突部２６とは環状凹面２４の内周縁から仕切板３の径方向外側に向かって突出し、係止突部２７は環状凹面２４の外周縁から仕切板３の中心に向かって突出している。また、段階突部２５及び許容位置突部２６は、後述する段階切欠部３１に嵌合することによって、それぞれ内部繰出孔２２の開口量の各段階及び調整板２３と仕切板３との着脱を許容する位置を保持する。さらに、係止突部２７は、後述する係止切欠部３２と嵌合することによって、調整板２３と仕切板３との着脱を許容する。
【００２３】
一方、環状凹面２４の内側にある中央隆起面２８において、内部繰出孔２２の各段階の開口量を示す位置を数字で、内部繰出孔２２を完全に閉じる位置及び仕切板３と調整板２３との着脱が可能な位置を印で示している。また、仕切板３において環状凹面２４の反対面の外周縁には、雌ネジ側担持部１６に嵌合することによって仕切板３の位置決めをする位置決め凹部２９が周方向に等間隔で複数設けられている（本実施形態においては２つ）。
【００２４】
図１１〜１３に示すように、内部繰出孔２２は、環状凹面２４における内周縁と外周縁との間であって後述する調整孔３３に挿通する位置に設けられている。また、内部繰出孔２２は、環状凹面２４の周方向に沿ってカーブした長孔状であって、環状凹面２４の中心回りの回転運動により円が描いた軌跡の外周形状である。
調整板２３は、ポリプロピレン樹脂等の合成樹脂製であり、仕切板３の環状凹面２４と同心状に嵌め込めるように、その中央に中央孔３０が形成されている。この中央孔３０と仕切板３の中央隆起面２８とが嵌合することによって、調整板２３は、仕切板３に回転自在かつ着脱自在取り付けられている。また、調整板２３には、仕切板３に対してスライドすることで内部繰出孔２２の開口量を段階的に調整するための調整孔３３が設けられている。
【００２５】
環状の調整板２３の内周縁には、内部繰出孔２２の開口量を段階的に保持するための段階切欠部３１が、調整板２３の中心を基準として１８０度正対する２つを１組として設けられている。また、環状の調整板２３の外周縁には、調整板２３と仕切板３との着脱が許容される位置を保持する係止切欠部３２が仕切板３の中心を基準として１８０度正対する２つを１組として設けられている。なお、段階切欠部３１は環状の調整板２３の内周縁から調整板２３の径方向外側に向かって切り欠いており、係止切欠部３２は環状の調整板２３の外周縁から調整板２３の中心に向かって切り欠いている。また、段階切欠部３１は、前述した段階突部２５及び許容位置突部２６に嵌合することによって、それぞれ内部繰出孔２２の開口量の各段階及び調整板２３と仕切板３との着脱を許容する位置を保持する。さらに、係止切欠部３２は、前述した係止突部２７と嵌合することによって、調整板２３と仕切板３との着脱を許容する。
【００２６】
調整孔３３は、環状の調整板２３における内周縁と外周縁との間であって前述した内部繰出孔２２に挿通する位置に設けられている。また、調整孔３３は、内部繰出孔２２と同一形状であって、調整板２３の周方向に沿ってカーブした長孔状であり、調整板２３の中心回りの回転運動により円が描いた軌跡の外周形状である。
なお、内部繰出孔２２のカーブした方向と外部繰出孔４の長手方向とは直交する位置関係を保持するように位置決め凹部２９と雌ネジ側担持部１６とが設けられ、内部繰出孔２２から動物用の餌ｆが繰り出しやすい方向と外部繰出孔４から動物用の餌ｆが繰り出しやすい方向とが交差しているため、第１収納室２０から内部繰出孔２２及び外部繰出孔４を通って一気に外部に繰り出すことがほとんどない。
【００２７】
さらに、内部繰出孔２２のカーブした方向におけるその両端縁からの中間点と、外部繰出孔４の幅方向におけるその両端縁からの中間点とが同一平面上となる位置関係を保持するように、位置決め凹部２９と雌ネジ側担持部１６とが設けられている。これは、調整板２３が仕切板３に対してスライド回転する本実施形態においては、内部繰出孔２２のカーブした方向におけるその両端縁からの中間点と外部繰出孔４の幅方向におけるその両端縁からの中間点とが同一平面上となるようにすれば、内部繰出孔２２の中心点（内部繰出孔２２の長手方向及び幅方向におけるそれぞれの両端縁から中間にある２本の直線が交差する点）と、外部繰出孔４の中心点（外部繰出孔４のカーブした方向及び幅方向におけるそれぞれの両端縁から中間にある２本の直線が交差する点）との距離が最も遠くなる。よって、本実施形態は、第１収納室２０から内部繰出孔２２及び外部繰出孔４を通って一気に本体２の外部に繰り出すことが非常に少なく、転動により内部繰出孔２２から繰り出された動物用の餌ｆは、ほとんどが第２収納室２１にいったんとどまり、動物の興味を十分に惹起させることができる。。
【００２８】
続いて、本発明に係る実施形態の使用態様を説明する。
図１４、１５に示すように、動物用知育玩具１を使用するには、動物用であって丸薬型などの固形状の餌ｆを下殻体７に入れたまま、仕切板３を上殻体５と下殻体７とで挟持した後、外リブ１１及び外凹部１７を把持しながら捻り動作を行い、上殻体５と下殻体７とを螺合させる。捻り動作を加え続け、ネジロック凹部１３とネジロック凸部１９とが嵌合することで、上殻体５と下殻体７との螺合状態を保持する。この状態で動物用知育玩具１を動物に与え、動物が動物用知育玩具１を手足で転がしたり鼻先で押したりすることで、図１４（ａ）〜（ｄ）に示すように、第１収納室２０から内部繰出孔２２を通って第２収納室２１側へ動物の餌ｆが繰り出される。上殻体５は透明であるため、第２収納室２１内の動物用の餌ｆが本体２の外部から視認できるため、最初に動物の注意をより喚起することができる。それによって、さらに動物が動物用知育玩具１を手足で転がしたり鼻先で押したりするが、内部繰出孔２２の長手方向と外部繰出孔４の長手方向は直交しているため、なかなか第２収納室２１から外部繰出孔４を通って本体２の外部へ動物の餌ｆが繰り出されない。そこで、動物は、視認できる動物用の餌ｆを食したい欲求から、図１４（ｆ）〜（ｈ）に示すように、第２収納室２１から外部繰出孔４を通って本体２の外部へ動物用の餌ｆをどうすれば繰り出せるか考え、考えながら動物用知育玩具１を手足で転がしたり鼻先で押したりすることによって、知育効果を得られる。
【００２９】
また、図１５（ａ）〜（ｆ）に示すように、仕切板３に対して調整板２３をスライド回転させることで、調整孔３３と内部繰出孔２２とが連通することによって生じる内部繰出孔２２の開口部分ｈの大きさを変えることができる。これによって、内部繰出孔２２の開口量を調整できるため、動物用の餌ｆを繰り出す難易度に変化をつけることができ、例えば、最初に内部繰出孔２２の開口量を多くしておき、徐々に開口量を少なくするなどによって、動物を飽きさせることなく、その興味を惹起させ続け、知育効果を継続して得ることができる。なお、図１５（ａ）は、仕切板３と調整板２３とが着脱可能な状態を表し、図１５（ｂ）は、内部繰出孔２２が完全に閉じられた状態を表す。
【００３０】
さらに、内部繰出孔２２を完全に閉じることもでき、第２収納室２１に動物用の餌ｆを収納したまま動物用知育玩具１を持ち運ぶことも可能である。
一方、上殻体５と下殻体７は着脱自在に螺合されているため、螺合状態を解けば、上殻体５、下殻体７、仕切板３及び調整板２３を分解でき、それぞれを直接洗うことが可能であるため、非常に衛生的である。
【００３１】
なお、本体２は、楕円体形状、円柱形状又は円錐形状などの転動可能な外面形状を有するものであってもよい。また、上殻体５及び下殻体７も、楕円体形状、円柱形状又は円錐形状である本体２を構成できる形状であってもよい。上殻体５と下殻体７とは、互いに着脱自在に結合するものであれば、嵌合によるものであってもよい。さらに、上殻体５に雌ネジ１５が、下殻体７に雄ネジ１０が設けられていてもよい。
【００３２】
上殻体５又は下殻体７の開口縁に形成された雄ネジ１０が螺合に耐えるだけの強度を有しつつ、本体２全体として滑らかな転動を妨げないのであれば、外リブ１１及びフランジ１２を有さず、上殻体５の中腹から肉厚な構造としてもよい。また、外リブ１１の本数は１６本以外であってもよい。なお、外リブ１１が８本、４本等のように１６本より少ない場合には、本体２が滑らかに転動可能となるよう外リブ１１の幅をそれぞれ拡げる。さらに、外凹部１７の形状は、楕円形状であってもよく、その個数は１６個以外であってもよい。そして、雄ネジ側担持部１４及び雌ネジ側担持部１６の形状は、周方向のリブ（フランジ状のリブ）であっても、突起物であっても、段差形状であってもよく、その本数はそれぞれ４本でなくてもよい。また、連通孔１８及び位置決め凹部２９の数は２つでなくてもよい。
【００３３】
調整板２３は、仕切板３に対して直線的にスライドすることで内部繰出孔２２の開口量を調整するものであってもよい。また、仕切板３に対してスライド回転する場合において、調整板２３が扇形状であり、扇形の中心と仕切板３の中心が一致するように設けられることで、スライド回転し内部繰出孔２２の開口量を調整できるものであってもよい。また、調整板２３が環状である場合でも、調整板２３の中央に隆起する面を設け、仕切板３の中央に孔を設けてもよく、仕切板３と調整板２３とが回転自在であれば着脱自在でなくてもよい。さらに、内部繰出孔２２の開口量の調整は、無段階でもあってもよく、段階的に調整できる場合であっても、５段階以外の段階数であってもよい。
【００３４】
外部繰出孔４の形状は、平面視において楕円形状又は長方形状等であってもよい。
外部繰出孔４の位置は、本体２の形状が球形であるか否かにかかわらず、姿勢保持用の錘６から最も遠い位置に設けられた場合に外部繰出孔４から本体２の外部に動物用の餌ｆが繰り出しにくくなる。
内部繰出孔２２の形状は、直線的にスライドする場合には、平面視において小判形状、楕円形状又は長方形状等であってもよい。また、スライド回転する場合には、仕切板３の中心回りの回転運動により描かれたのであれば、長方形、三角形等の軌跡の外周形状であってもよい。
【００３５】
外部繰出孔４と内部繰出孔２２との位置関係において、姿勢保持用の錘６の位置や、本体２の形状が球形であるか否か、調整板２３が仕切板３に対して直線的にスライドするかスライド回転するかにかかわらず、内部繰出孔２２の中心点（内部繰出孔２２の長手方向及び幅方向におけるそれぞれの両端縁から中間にある２本の直線が交差する点）と、外部繰出孔４の中心点（外部繰出孔４の長手方向及び幅方向におけるそれぞれの両端縁から中間にある２本の直線が交差する点）との距離が最も遠くなるように外部繰出孔４と内部繰出孔２２とを設けた場合には、第１収納室２０から内部繰出孔２２及び外部繰出孔４を通って一気に本体２の外部に繰り出すことが少なくなる。この状態に加えさらに、外部繰出孔４の長手方向と内部繰出孔２２の長手方向とが直交する場合には、第１収納室２０から一気に本体２の外部に繰り出すことが最も少なくなる。
【００３６】
姿勢保持用の錘６は、金属片等の比重の重いものを取り付けてもよい。
上殻体５、下殻体７、仕切板３及び調整板２３等の各構成または全体の構造、形状、寸法などは、本発明の趣旨に沿って適宜変更することができる。
【図面の簡単な説明】
【００３７】
【図１】本発明に係る実施形態の動物用知育玩具を示す斜視図。
【図２】本発明に係る実施形態の動物用知育玩具を示す側面図。
【図３】上殻体の側面図。
【図４】上殻体の平面図。
【図５】図４における上殻体のＡ−Ａ’線及びＢ−Ｂ’線における側面断面図。
【図６】下殻体の側面図。
【図７】下殻体の平面図。
【図８】図７における下殻体のＡ−Ａ’線及びＢ−Ｂ’線における側面断面図。
【図９】調整板の平面図。
【図１０】図９における調整板のＡ−Ａ’線における側面断面図。
【図１１】仕切板の平面図。
【図１２】図１１における仕切板のＡ−Ａ’線における側面断面図。
【図１３】図１１における仕切板のＢ−Ｂ’線における側面断面図。
【図１４】本発明に係る実施形態の動物用知育玩具の使用態様を示す概要図 。
【図１５】調整板及び仕切板の使用態様を示す概要図 。
【符号の説明】
【００３８】
１      動物用知育玩具
２      本体
３      仕切板
４      外部繰出孔
５      上殻体
６      姿勢保持用の錘
７      下殻体
２０    第１収納室
２１    第２収納室
２２    内部繰出孔
ｆ      動物用の餌
ｈ      内部繰出孔の開口部分
【図１】
0004413962.tif 000002
【図２】
0004413962.tif 000003
【図３】
0004413962.tif 000004
【図４】
0004413962.tif 000005
【図５】
0004413962.tif 000006
【図６】
0004413962.tif 000007
【図７】
0004413962.tif 000008
【図８】
0004413962.tif 000009
【図９】
0004413962.tif 000010
【図１０】
0004413962.tif 000011
【図１１】
0004413962.tif 000012
【図１２】
0004413962.tif 000013
【図１３】
0004413962.tif 000014
【図１４】
0004413962.tif 000015
【図１５】
0004413962.tif 000016